(57)【要約】      （修正有）【課題】安定してむらのない円滑な回転が得られるフライホイール付きの回転モーメント発電装置を提供する。【解決手段】フライホイール付きの回転モーメント発電装置は、縦型の一対のリング軌条１００と、回転駆動軸２００と、縦旋回シャフト３００の両側に第一の錘４００を装着したフライホイールＦと、一対の第二の錘５００を平行シャフト６００と縦旋回シャフト３００とリング軌条１００で支持して回転駆動軸２００の回転で偏心回転させる回転モーメント発生機構Ｍとからなる。真円の一対のリング軌条１００とフライホイールＦと回転モーメント発生機構Ｍとは８組を回転駆動軸２００に並列配置してあり、各組間における縦旋回シャフト３００の相対関係は、２２．５度とする。回転駆動軸２００は、リング軌条１００の円心１００Ｃから水平半径線１００ｒ上の任意の位置に軸心２００Ｃを直交させて配置し、前記各組単位の領域を軸受けで支承され、一端部を水車又は風車の回転駆動側に連結し、他端部を発電装置に連結する。【選択図】図１
0003170852.tif 000002
【実用新案登録請求の範囲】
【請求項１】
縦型で真円の一対のリング軌条１００を設置し、同リング軌条１００の円心１００Ｃから水平半径線１００ｒ上の任意の位置に軸心２００Ｃを直交させた回転駆動軸２００を設け、回転駆動軸２００部にシャフト円心部を装着して縦旋回する縦旋回シャフト３００を設け、前記縦旋回シャフト３００の回転半径Ｌは、リング軌条の水平半径長さＬ１に、リング軌条の円心から回転駆動軸の軸心までの長さＬ２を加えた合計長さを超える半径にし、縦旋回シャフト３００の両端部に等重量の第一の錘４００を装着してフライホイールＦとし、この縦旋回シャフト３００に一対の第二の錘５００を移動自在に設け、この第二の錘５００を二対の平行シャフト６００の両端部に支持し二対の平行シャフト６００を回転駆動軸２００部に移動可能に支持して、第二の錘５００を回転駆動軸２００の回転によりリング軌条１００に沿って走行させて、第二の錘５００がリング軌条１００の円心を通る鉛直線Ｅから反回転駆動軸側に位置する領域Ｚ１で回転駆動軸に正回転モーメントを付与させ、第二の錘５００がリング軌条１００の円心を通る鉛直線Ｅから回転駆動軸側に位置する領域Ｚ２で回転駆動軸２００に逆回転モーメントを付与させる回転モーメント発生機構Ｍとし、前記リング軌条１００と、フライホイールＦと回転モーメント発生機構Ｍとの組みを複数組を前記回転駆動軸２００に並列配置し、各組間における縦旋回シャフト３００の相対角度関係は均等角度の関係で配置したことを特徴とするフライホイール付きの回転モーメント発電装置。
【考案の詳細な説明】
【技術分野】
【０００１】  本考案は、水力、風力、微量電動機により効率よく発電する簡易なフライホイール付きの回転モーメント発電装置に関するものである。
【背景技術】
【０００２】  発電装置は、従来公知のものとして大別して風力発電装置、蒸気力発電装置、水力発電装置、波力発電装置、太陽光発電装置など大掛かりな様々な発電装置が開発されている。近年、地球温暖化問題が表面化し、二酸化炭素排出規制が声高に叫ばれている。この対策とするクリーンエネルギー技術として、前記の太陽光電池、風力発電等が注目され開発され現在稼動しているが、コスト及びメンテナンス等の問題でなかなか普及していないのが現状である。
そこで最近、水力、風力、微量電動機により効率よく発電する簡易な発電装置が開発されている。これは地球上の重力を活用し、それを効率よく発電用の回転エネルギーに転換する装置である。【０００３】  この装置は、発電回転させる回転駆動軸への原動力を初動微電力、風力、蒸気力、水力、波力などにして、しかもこれらの自然原動力からの電気エネルギー変換効率を大幅に高めた偏心回転式発電装置である。
この偏心回転式発電装置は、縦型のリング軌条を設置し、同リング円心から水平方向に偏心させた回転駆動軸に縦旋回シャフトを介した錘を設け、この錘をリング軌条に沿って走行させて、回転軸に回転モーメントを付与し、回転駆動軸を例えば自然動力として水力を用いて回転させることによりエネルギロスを少なくした効率の良い発電力を確保しようとするものである。
【考案の概要】
【考案が解決しようとする課題】
【０００４】  本考案は、回転モーメントパターンを大幅に改善して、回転駆動軸にかかる逆回転モーメントを無くして回転むら現象のない円滑な連続回転状態を安定して得られる新規なフライホイール付きの回転モーメント発電装置を提供するものである。
【課題を解決するための手段】
【０００５】上記課題を満足させる本考案のフライホイール付きの回転モーメント発電装置における基本的な技術構成は、次の（１）の通りである。
（１）、縦型の一対のリング軌条１００を設置し、同リング軌条１００の円心１００Ｃから水平半径線１００ｒ上の任意の位置に軸心２００Ｃを直交させた回転駆動軸２００を設け、回転駆動軸２００部にシャフト円心部を装着して縦旋回する縦旋回シャフト３００を設け、前記縦旋回シャフト３００の回転半径Ｌは、リング軌条の水平半径長さＬ１に、リング軌条の円心から回転駆動軸の軸心までの長さＬ２を加えた合計長さを超える半径にし、縦旋回シャフト３００の両端部に等重量の第一の錘４００を装着してフライホイールＦとし、この縦旋回シャフト３００に一対の第二の錘５００を移動自在に設け、この第二の錘５００を二対の平行シャフト６００の両端部に支持し二対の平行シャフト６００を回転駆動軸２００部に移動可能に支持して、第二の錘５００を回転駆動軸２００の回転によりリング軌条１００に沿って走行させて、第二の錘５００がリング軌条１００の円心を通る鉛直線Ｅから反回転駆動軸側に位置する領域Ｚ１で回転駆動軸に正回転モーメントを付与させ、第二の錘５００がリング軌条１００の円心を通る鉛直線Ｅから回転駆動軸側に位置する領域Ｚ２で回転駆動軸２００に逆回転モーメントを付与させる回転モーメント発生機構Ｍとし、前記リング軌条１００と、フライホイールＦと回転モーメント発生機構Ｍとの組みを複数組を前記回転駆動軸２００に並列配置し、各組間における縦旋回シャフト３００の相対角度関係は均等角度の関係で配置したことを特徴とするフライホイール付きの回転モーメント発電装置。
【考案の効果】
【０００６】  本考案のフライホイール付きの回転モーメント発電装置は、回転モーメントパターンを大幅に改善して均等化し、トタル的に回転駆動軸にかかる逆回転モーメントをほとんど無くし回転むら現象を防止して円滑な連続回転発電状態を安定して得られるものである。
【図面の簡単な説明】
【０００７】
【図１】本考案の実施例を示すもので図２に示す構成部を同一回転駆動軸２００に２２．５°の回転角度で８組配列して側面から見た説明図である。
【図２】図１に示す水平状態の縦旋回シャフト３００部の詳細を示す説明図であり、（１）は（２）の矢視Ａ−Ａからの側面説明図、（２）は（１）の矢視Ｂ−Ｂからの平面説明図、（３）は（１）の矢視Ｃ−Ｃからの断面説明図である。
【図３】図２に示す第二の錘５００をガイドするリング軌条と被ガイド部を永久磁石式にした変形例を示す説明図であり、（１）は（２）の矢視Ｄ−Ｄからの側面説明図、（２）は（１）の矢視Ｅ−Ｅからの平面説明図である。
【考案を実施するための形態】
【０００８】  考案を実施するための形態を実施例により詳細に説明する。
【実施例】
【０００９】  本考案のフライホイール付きの回転モーメント発電装置例を図１〜図４と共に詳細に説明する。
図１〜図３において、フライホイール付きの回転モーメント発電装置は、縦型の一対のリング軌条１００と、回転駆動軸２００と、縦旋回シャフト３００の両側に第一の錘４００を装着したフライホイールＦと、一対の第二の錘５００を平行シャフト６００と縦旋回シャフト３００とリング軌条１００で支持して回転駆動軸２００の回転で偏心回転させる回転モーメント発生機構Ｍとからなる。【００１０】  真円の一対のリング軌条１００とフライホイールＦと回転モーメント発生機構Ｍとは８組を回転駆動軸２００に並列配置してあり、各組間における縦旋回シャフト３００の相対角度関係は図１に各組を重ねて示す如く２２．５度の均等角度の関係で配置してある。【００１１】図１と図２に示すリング軌条１００は、縦型のローラーガイド軌条でよく、第二の錘５００に設ける被ガイドは、第二の錘５００の両側に軸受け装着してローラーガイド軌条１００に接触状態で走行可能に係合配置するローラー式被ガイド７００にしている。
また図３に示すリング軌条１００は、永久磁石１００Ｍを周方向に所定間隔で配置した同心円で内外２列の磁石ガイド軌条とし、各永久磁石１００Ｍは例えば当該磁石ガイド軌条の内周側にＳ極を外周側にＮ極を向けてある。この磁石ガイド軌条１００に対する第二の錘５００に設ける被ガイドは、第二の錘５００の両側に設けられ内外２列の永久磁石１００Ｍ列の間に永久磁石１００Ｍとの対面磁極を反発関係の磁極にし、非接触状態で走行可能に挿入配置した永久磁石式被ガイド７００Ｍにして回転抵抗を大きく軽減してある。【００１２】  回転駆動軸２００は、リング軌条１００の円心１００Ｃから水平半径線１００ｒ上の任意の位置に軸心２００Ｃを直交させて配置し、前記各組単位の領域を軸受けで支承され、一端部を水車又は風車の回転駆動側に連結し、他端部を発電装置に連結する。【００１３】  縦旋回シャフト３００は、回転駆動軸２００の半径の延長線に平行に２対配置し、対間は回転駆動軸２００に固定した装着ブロックＢを介して直列に連結装着してフライホイールＦと回転モーメント発生機構Ｍが共用する。
縦旋回シャフト３００の回転半径Ｌは、リング軌条の水平半径長さＬ１に、リング軌条１００の円心１００Ｃから回転駆動軸の軸心２００Ｃまでの長さＬ２を加えた合計長さを超える半径にし、縦旋回シャフト３００の両端部に等重量の第一の錘４００をボルトとナット等の適宜な取り付け具により装着してフライホイールＦを構成する。
更に縦旋回シャフト３００は、中間部に回転モーメント発生機構Ｍの第二の錘５００を回転半径に平行に移動自在に支持する。
回転モーメント発生機構Ｍは、一対の平行シャフト６００の両端に第二の錘５００をボルトとナット等の適宜な取り付け具により装着固定して一体的に構成し、平行シャフト６００は装着ブロックＢで摺動自在にガイドする。
これで回転駆動軸２００の回転によりリング軌条１００に沿って第二の錘５００を走行させて、第二の錘５００がリング軌条１００の円心１００Ｃを通る鉛直線Ｅから反回転駆動軸側に位置する領域Ｚ１で回転駆動軸２００の軸心に正回転モーメントを付与させ、第二の錘５００がリング軌条１００の円心１００Ｃを通る鉛直線Ｅから回転駆動軸側に位置する領域Ｚ２で回転駆動軸２００に逆回転モーメントを付与させる回転モーメント発生機構Ｍを構成する。【００１４】＜変形例＞
第二の錘５００の代替としての連続ウエイトリングを装着しても良い。
第一の錘４００は第二の錘５００より重くして回転トルクを増強すると良い。
図示していないが、磁石ガイド軌条１００と永久磁石式被ガイド７００Ｍを設置した場合は、各組単位で永久磁石式被ガイド７００Ｍの回転領域で逆回転モーメントが発生する範囲に補助的に吸引・反発を繰り返えす加速用の電磁石列を第一の錘４００及び／又は第二の錘５００に回転軌跡の内側及び／又は外側に沿って配置し当該錘に永久磁石を取り付けても良い。この補助電磁石列は当該錘の永久磁石が近づくと回転角度センサー又は近接スイッチが作動して当該電磁石を吸引作用磁極にして吸引加速させ対面した時点で反発作用磁極に切り替えることを順次行って反発加速させるものである。
【産業上の利用可能性】
【００１５】  本考案は、前記のように優れた効果を呈するため、クリーンエネルギーとして、メンテナンスフリー発電を手軽に低コストで得る事を実現し、一般家庭は勿論、各種電力供給産業に広く普及し業界に広く活用される発電装置である。
【符号の説明】
【００１６】Ｅ：鉛直線
Ｌ：回転半径
Ｚ１：領域
Ｚ２：領域
Ｍ：回転モーメント発生機構
Ｆ：フライホイール
１００：リング軌条
１００Ｍ：永久磁石
１００Ｃ：円心
１００ｒ：水平半径線
２００Ｃ：軸心
２００：回転駆動軸
３００：縦旋回シャフト
４００：第一の錘
５００：第二の錘
６００：上下二対の平行シャフト
７００：ローラー式被ガイド
７００Ｍ：永久磁石式被ガイド
【図１】
0003170852.tif 000003
【図２】
0003170852.tif 000004
【図３】
0003170852.tif 000005